(57)【要約】【課題】  本考案は、歯科医が単独で、舌や頬肉を傷つけることなく確実に虫歯の切削処置やレジンの充填研磨処理を行うことが可能な歯科治療補助器具を提供することを目的とする。【解決手段】本考案の歯科治療補助器具は、１又は２以上の歯にわたって歯１０の内側及び外側から歯を挟持する挟持部２２を備えたクリップ２０を有し、該挟持部の内側に弾性体２３、外側に頬肉又は舌を圧排する圧排部材２７を取り付けたことを特徴とする。【選択図】図１
0003175064.tif 000002
【実用新案登録請求の範囲】
【請求項１】
１又は２以上の歯にわたって歯の内側及び外側から歯を挟持する挟持部を備えたクリップを有し、該挟持部の内側に弾性体、外側に、頬肉又は舌を圧排する圧排部材を取り付けたことを特徴とする歯科治療補助器具。
【請求項２】
前記弾性体の歯との接触表面に凹凸を設けたことを特徴とする請求項１に記載の歯科治療補助器具。
【考案の詳細な説明】
【技術分野】
【０００１】
本考案は、歯科治療補助器具に係り、例えば虫歯治療において、虫歯の切削及び窩洞部へのレジン充填等の処置をアシスタントなしで歯科医単独で容易に行うことが可能な歯科治療補助器具に関する。
【背景技術】
【０００２】
虫歯治療においては、虫歯の切削を行った後、切削部が大きい場合は金属で覆い、又小さい場合は窩洞部に複合レジンを充填する方法が一般的に用いられる。
レジンの充填方法としては、例えば、図３（ａ）の方法が一般的である。すなわち、樹脂フィルム製のストリップス(マトリックス)３０を治療する歯の窩洞部分１１に圧接させるように、歯科医がストリップス両端部を矢印の方向に手で押さえつける。この状態で、ストリップスと歯の間の窩洞部１１にレジンを流し込み、紫外線を照射して硬化させる。
【０００３】
一方、歯科医がストリップスを手で押さえる代わりに、図３（ｂ）に示すように、金属製のストリップス３０を歯の窩洞部１１を囲むように嵌め込み、リングスプリング４０（例えば、株式会社ジーシー製Ｖリングシステム等）でストリップスを窩洞部側に押さえつけるように歯間部に挿入し、同様にしてレジンの充填、硬化を行う方法も用いられている。
【先行技術文献】
【特許文献】
【０００４】
【特許文献１】特開２００４−１９４９５６
【考案の概要】
【考案が解決しようとする課題】
【０００５】
しかし、虫歯の切削処置をする際には、特に子供の場合、切削機械で舌や頬肉を傷つけてしまうことがあったり、あるいは、唾液や切削物等をバキュームで除去する必要があるため、通常、アシスタントがバキューム管で頬や舌を切削部から押さえ遠ざけ(圧排)つつ、歯科医が切削処置をするのが一般的である。
【０００６】
また、レジンの充填処置においては、片手でストリップスを押さえながら、レジンを取り出し、窩洞部に充填する作業を行う必要があり、同様に、歯科医の治療部の視界を確保するため、舌や頬肉等をバキューム管等で圧排したり、さらにまたバキュームの必要から、同様に、アシスタントが必要であった。
【０００７】
一方、ストリップスを手で押さえる代わりに、図３（ｂ）の器具を用いる場合は、金属製のストリップス３０を挿入し、鉗子等によりリング４０を広げ、その状態で歯間部に装着した後、鉗子を取り外すという手順を経るため、装着及び脱着に時間がかかり子供には不向きである上、取扱いに慣れないと誤って口内を傷つけてしまう場合もあった。
【０００８】
かかる状況において、本考案は、歯科医が単独でも、舌や頬肉を傷つけることなく確実に虫歯の切削処置を行うことができる歯科治療補助器具を提供することを目的とする。さらに、短時間且つ確実にストリップスの固定が可能で、窩洞部へのレジンの充填処置を短時間で行うことが可能な歯科治療補助器具を提供することを目的とする。
【課題を解決するための手段】
【０００９】
本考案の歯科治療補助器具は、１又は２以上の歯にわたって歯の内側及び外側から歯を挟持する挟持部を備えたクリップを有し、該挟持部の内側に弾性体、外側に頬肉又は舌を圧排する圧排部材を取り付けたことを特徴とする。
ここで、前記弾性体の歯との接触表面に凹凸を設けるのが好ましい。
【考案の効果】
【００１０】
上述したように、弾性体を配置した挟持部により、ストリップスを１又は２歯以上の歯にわたって歯の内側及び外側から押さえつけて固定する構造としたことから、リングスプリング等で固定する場合に比べ、短時間で装着し、且つ取り外すことができる。しかも、手で装着・脱着するため誤って口内を傷つけることもない。また、弾性体の表面に凹凸を設けることにより、一層確実にストリップスを把持することが可能となる。
【００１１】
さらに、挟持部の外側に設けられた圧排部材により、舌や頬肉により処置が邪魔されることなく、歯科医単独でも、確実にレジン充填処置を行うことができる。また、虫歯の切削処置の場合も、同様に、圧排部材により、舌や頬肉を傷つけることなく、切削処置を行うことが可能となる。
【図面の簡単な説明】
【００１２】
【図１】本考案の歯科治療補助器具の一構成例を示す概略平面図（ａ）及び正面図（ｂ）である。
【図２】本考案の歯科治療補助器具の他の構成例を示す概略平面図（ａ）及び正面図（ｂ）である。
【図３】従来のレジン充填方法及び充填補助器具を示す概略図である。
【考案を実施するための形態】
【００１３】
本考案の歯科治療補助器具の一例を図1を参照して説明する。
図1において、（ａ）は歯１０の窩洞部分１１にレジンを充填する際に用いる歯科治療補助器具の一例を示す概略平面図であり、（ｂ）はその概略側面図である。
【００１４】
本実施例の補助器具は、下顎の歯の処置に用いるものであり、ストリップス３０の両端部を挟持し、歯の窩洞部１１にストリップスを圧接して固定するするクリップ２０で構成される。クリップ本体は、通常金属やプラスチックス等の剛性のある材料が用いられ、ストリップスを挟持する挟持部２２には、ストリップスを確実に把持するように表面に凹凸を設けたゴム、樹脂等の弾性体２３が固着されている。このような構成にして、ストリップスを歯に密着・固定することができ、ずれることはない。また、クリップが歯肉に接触する場合であっても、歯肉を傷つけることもない。なお、弾性体にはスポンジ、ウレタンフォーム等を用いても良い。
【００１５】
さらに、本実施例の補助器具では、舌を押える板状の圧排部材２７が挟持部２２の外側に取り付けてある。圧排部材は、舌や歯肉を傷つけることのない柔軟性を有し、かつ確実に舌等を圧排できる程度のバネ強度を有するもので、柔軟性・弾性のある樹脂、ゴム等の板状材料が用いられる。この圧排部材は、例えば金属等の支持体２６を介して挟持部２２の外側にネジ等により固定されている。このような構成とすることにより、処置中に舌が処置部方向に動くのを抑え、歯科医単独でも円滑に充填処置を行うことができる。特に子供の患者に有効である。また、圧排部材と挟持部のすき間にバキューム管を挿入して唾液等の吸引ができ、よりスムーズな処置を行うことができる。
【００１６】
なお、図１に示した実施例では、挟持部の幅を歯1つ分としたが、２歯以上としても良く、ストリップス把持の確実性はより向上する。また、挟持部の高さは、特に制限はなく、おおよそ歯の高さ程度が好適である。
さらに、本実施例の補助器具は、レジンの充填処置のみならず、その前処置となる虫歯の切削処置にも用いることができる。この場合、舌を処置部から圧排できるため、歯科医単独でも、バキューム処理しながら、虫歯の切削処置を確実に行うことができる。
【００１７】
次に、本考案の補助器具を用いた虫歯の治療方法を説明する。
まず、補助器具を、ストリップスを挿入しないで、図１に示すように、歯に装着し、この状態で、虫歯部分１１を切削タービンで削り取る。舌を圧排部材２７で処置部に近づかないように圧排しているため、歯科医は単独で、バキューム処理しながら、切削処置を行うことができる。続いて、窩洞部のエッチングやボンディング等の前処理をした後、図１に示すように、歯１０の窩洞部分１１を囲むようにストリップス３０を取り付ける。クリップ２０のつまみ２１をバネ２４の力に抗して掴み、２つのクリップ挟持部２２の間にストリップス３０と歯１０を挟みこんで装着する。
【００１８】
この状態で、ストリップス３０で囲まれた窩洞部分１１に光重合性レジンを充填し、紫外線乃至可視光線を照射して光重合反応を起こしレジンを硬化させる。その後、ストリップスを取り除き、必要に応じて研磨処理等して充填処置を終了する。この研磨処置の際にも舌の排除のため補助器具を使用できる。
【００１９】
以上の実施例では、挟持部２２に舌を圧排する圧排部材２７を取り付ける構成を説明したが、例えば、上顎の歯の治療の場合は、この代わりに、処置する歯と頬の間に空間を形成するための頬肉を圧排する部材を同様にして取り付ければ良い。この頬肉の圧排部材の材質は、舌押さえ部材と同様の材質が用いられる。
なお、圧排部材の取り付け位置は、処置する歯の位置（上顎、下顎、左右）により、適宜定めればよいし、また、取り付け方法も、本実施例に限らず、例えば、接着剤を用いる方法でも良いことは言うまでもない。
【００２０】
また、本実施例では、圧排部材として板状のものを用いたが、これに限らず、例えば、図２に示すようにブロック状のものを用いても良い。この場合は、例えばスポンジやウレタンフォームのような発泡性のものも用いることもできる。
【符号の説明】
【００２１】
１０  歯
１１  窩洞部分
２０  クリップ
２１  ツマミ
２２  挟持部
２３  弾性体
２４  バネ
２５  クリップの回転軸
２６  支持体
２７  圧排部材
３０  ストリップス
４０  リングスプリング。
【図１】
0003175064.tif 000003
【図２】
0003175064.tif 000004
【図３】
0003175064.tif 000005